(57)【要約】【課題】グラウンドアンカーを構成するＰＣ鋼より線が止水部材の上部を支点として変形した場合でも、グラウンドアンカーへの雨水等の浸入を確実に防ぐことができるグラウンドアンカー用止水部材を提供すること。【解決手段】地山等２に削孔したアンカー孔２１中に支圧板４の中心孔４１を介して挿入し、グラウンドアンカー１への雨水等の浸入を防ぐための止水部材６であって、少なくとも支圧板４の中心孔４１の孔径よりも大きい外径を有すると共に、グラウンドアンカー１を構成するＰＣ鋼より線１１が通る少なくとも１つ以上の挿通孔を設けた鍔部６１と、その鍔部６１の少なくとも１つ以上の孔の周縁から立設され、ＰＣ鋼より線１１がそれぞれ挿入される少なくとも１つ以上の円筒部６３とを有する。【選択図】図２
2015010354.tif 000002
【特許請求の範囲】
【請求項１】
地山等に削孔したアンカー孔内に挿入されグラウト材によって定着されたグラウンドアンカーの頭部を支圧板を介して緊締部材によって緊締した当該グラウンドアンカーへの雨水等の浸入を防ぐための止水部材であって、支圧板の中心孔の孔径よりも大きい外径を有すると共に、グラウンドアンカーを構成する引張材が通る少なくとも１つ以上の挿通孔を設けた鍔部と、その鍔部の少なくとも１つ以上の挿通孔に連通する挿通孔を有し、その鍔部の下面に対し直交方向するように立設され、引張材がそれぞれの挿通孔に挿入される少なくとも１つ以上の円筒部とを有することを特徴とするグラウンドアンカー用止水部材。
【請求項２】
請求項１に記載のグラウンドアンカー用止水部材において、
前記鍔部には、前記支圧板の中心孔に挿入される段部が設けられており、その段部の高さは前記支圧板の厚さ以下であって、その段部から前記少なくとも１つ以上の円筒部が引張材の長手方向に延設されていることを特徴とするグラウンドアンカー用止水部材。
【発明の詳細な説明】
【技術分野】
【０００１】
本発明は、グラウンドアンカーの頭部に装着することで、雨水等の浸入を防ぐためのグラウンドアンカー用止水部材（以下、止水部材と略す場合がある。）関するものである。
【背景技術】
【０００２】
グラウンドアンカーへの雨水等の浸入を防ぐためのグラウンドアンカー用止水部材として、種々のものが提案されている。例えば、特許文献１には、図８（ａ）に示すように筒状の止水部材（この特許文献１では、養生管と呼んでいる。）９の底板部９１に設けた挿通孔９１ａの上部に可撓性鍔部９１ｂを設け、その挿通孔９１ａにグラウンドアンカーを構成するＰＣ鋼より線（引張材）１１を挿通させると、図８（ｂ）に示すように挿通孔９１ａ周縁の可撓性鍔部９１ｂがＰＣ鋼より線１１の外周に密接状態で立ち上がって面接触するようにして止水している。この止水部材９では、図９（ａ）に示すようにＰＣ鋼より線１１が止水部材９下方の底板部９１を支点に動く場合には、可撓性鍔部９１ｂがＰＣ鋼より線１１の動きに面接触を保ちながら追従して、ＰＣ鋼より線１１との間に隙間が生じることを防止して確実に止水できる。
【先行技術文献】
【特許文献】
【０００３】
【特許文献１】特開２００２−８８７５４号公報
【発明の概要】
【発明が解決しようとする課題】
【０００４】
ところで、グラウンドアンカーによる地山等の補強は、通常、孔壁の崩壊を防ぐために鋼管を打ち込みながら地山等を削孔してアンカー孔を形成し、その後アンカー孔内にグラウンドアンカーを挿入し、鋼管を抜きながらグラウト材を充填して、グラウト材の硬化によりグラウンドアンカーをアンカー孔に定着させることにより行う。ここで、グラウンドアンカーの軸心とアンカー孔心とがほぼ一致した状態になっている。しかし、鋼管が抜かれた後は実質、その鋼管厚分だけアンカー孔径が大きくなり、例え、アンカー孔内にグラウト材が充填されているとしても硬化するまでには時間がかかるので、グラウンドアンカーが自重により孔壁側に沈み込んでしまい、その軸心がアンカー孔心からずれる、即ち、アンカー孔心に対してグラウンドアンカーの軸心が傾斜した状態でグラウト材が硬化する場合がある。
【０００５】
そして、グラウト材の硬化後、アンカー孔心に対して軸心が傾斜した状態で定着されたグラウンドアンカーを構成するＰＣ鋼より線の頭部を止水部材や支圧板を介してジャッキ等によりアンカー孔心方向（地山斜面に対して鉛直方向）に緊張すると、ＰＣ鋼より線にはアンカー孔心と平行になるような力が作用する、即ち、支圧板や緊締部材に近い箇所である止水部材の上部を支点として変形することになる。
【０００６】
しかしながら、前述の特許文献１に記載の止水部材９は、止水部材９や支圧板を介してジャッキ等で緊張した際に、ＰＣ鋼より線１１が止水部材９の上部を支点として変形した場合、図９（ｂ）に示すようにＰＣ鋼より線１１が移動した方向の可撓性鍔部９１ｂはＰＣ鋼より線１１と面接触したまま追従可能であるものの、その反対側の可撓性鍔部９１ｂはＰＣ鋼より線１１との接触面積が減少して先端のみの点接触になったり、さらには伸びきってＰＣ鋼より線１１との間に隙間が空いてしまい、止水効果を発揮できないおそれがある。
【０００７】
本発明は、このような問題点に鑑みなされたもので、グラウンドアンカーを構成するＰＣ鋼より線等の引張材が止水部材の上部を支点として変形した場合でも、グラウンドアンカーへの雨水等の浸入を防ぐことができるグラウンドアンカー用止水部材を提供することを目的とする。
【課題を解決するための手段】
【０００８】
前記課題を解決するため、本発明に係るグラウンドアンカー用止水部材は、地山等に削孔したアンカー孔内に挿入されグラウト材によって定着されたグラウンドアンカーの頭部を支圧板を介して緊締部材によって緊締した当該グラウンドアンカーへの雨水等の浸入を防ぐための止水部材であって、支圧板の中心孔の孔径よりも大きい外径を有すると共に、グラウンドアンカーを構成する引張材が通る少なくとも１つ以上の挿通孔を設けた鍔部と、その鍔部の少なくとも１つ以上の挿通孔に連通する挿通孔を有し、その鍔部の下面に対し直行するように立設され、引張材がそれぞれの挿通孔に挿入される少なくとも１つ以上の円筒部とを有することを特徴とする。
ここで、前記鍔部には、前記支圧板の中心孔に挿入される段部が設けられており、その段部の高さは前記支圧板の厚さ以下であって、その段部から前記少なくとも１つ以上の円筒部が引張材の長手方向に延設されているようにするとさらに良い。
【発明の効果】
【０００９】
本発明に係るグラウンドアンカー用止水部材によれば、止水部材は支圧板の中心孔の孔径よりも大きい外径を有すると共に、グラウンドアンカーを構成する引張材が通る少なくとも１つ以上の挿通孔を設けた鍔部と、その鍔部の少なくとも１つ以上の挿通孔に連通する挿通孔を有し、その鍔部の下面に対し直交方向に立設され、引張材がそれぞれの挿通孔に挿入される少なくとも１つ以上の円筒部とを有するため、アンカー孔心に対して軸心が傾斜した状態で定着された引張材をジャッキ等によりアンカー孔心方向に緊張して引張材が止水部材の上部を支点として変形した場合には、止水部材の円筒部は止水部材の鍔部と各円筒部の境目とを支点にして追随するため、グラウンドアンカーへ雨水等の浸入を防ぐことを確実に止めることができる。
【図面の簡単な説明】
【００１０】
【図１】本発明に係るグラウンドアンカー用止水部材を使用したグラウンドアンカーの設置状態全体を示す断面図である。
【図２】本発明に係るグラウンドアンカー用止水部材を使用したグラウンドアンカーの頭部構造を示す拡大断面図である。
【図３】本発明に係るグラウンドアンカー用止水部材の実施形態の斜視図である。
【図４】（ａ）〜（ｃ）それぞれ本発明に係るグラウンドアンカー用止水部材の正面図、右側面図、左側面図である。
【図５】（ａ），（ｂ）それぞれ図４（ａ）のＢ−Ｂ線断面図、図５（ａ）におけるＣ部分の拡大断面図である。
【図６】（ａ）〜（ｃ）それぞれ本発明に係るグラウンドアンカー用止水部材の使用手順を示す説明図である。
【図７】（ａ），（ｂ）それぞれ本発明に係るグラウンドアンカー用止水部材の他の例を示す正面図、右側面図である。
【図８】（ａ），（ｂ）それぞれ従来のグラウンドアンカー用止水部材の部分断面図、Ａ部分の拡大断面図である。
【図９】（ａ），（ｂ）それぞれグラウンドアンカーが止水部材の底板部を支点として変形した場合の従来の止水部材の動作と、止水部材の上部を支点として変形した場合の同動作とを示す部分拡大断面動作図である。
【発明を実施するための形態】
【００１１】
以下、本発明に係るグラウンドアンカー用止水部材の実施の形態について説明する。
【００１２】
図１および図２に示すように、グラウンドアンカー１は、地山等２上にドリル等によって形成したアンカー孔２１と受圧板３の中心孔３１に挿入されるもので、複数本（ここでは、説明の便宜上、例えば、４本とする。）の引張材であるＰＣ鋼より線１１を備えている。なお、各ＰＣ鋼より線１１は、地山表面から所定の位置までそれぞれシース管１２が挿入されている領域と、その位置から先端側にかけてＰＣ鋼より線１１が露出される領域に区分され、シース管１２の下端部には、水の浸入を止めるために熱で収縮された熱収縮チューブ１３が装着されている。ここで、受圧板３としては、鉄筋コンクリート製、鋼製やガラス繊維強化プラスチック（ＦＲＰ）等の樹脂製のものでも良いし、法枠でも良い。
【００１３】
各ＰＣ鋼より線１１は、図示しない注入管によってアンカー孔２１内にグラウト材２２を充填することで定着される。
【００１４】
なお、複数本のＰＣ鋼より線１１がグラウト材２２によってアンカー孔２１に確実に定着されるよう、各ＰＣ鋼より線１１の途中にはスペーサー１４が設けられていると共に、先端部には先端キャップ１５が装着されている。そして、各ＰＣ鋼より線１１の互いの間隔がほぼ所定間隔で均等に保持された状態で結束バンド１６等によって結束されている。なお、ＰＣ鋼より線１１は、例えば、ポリエチレン系樹脂等によりその全長がコーティングされており、耐食性が高められている。引張材は、ＰＣ鋼より線１１以外でも勿論良い。
【００１５】
一方、各ＰＣ鋼より線１１の頭部は、図１および図２に示すように、アンカー孔２１の上部に設置された受圧板３の中心孔３１と、その受圧板３の上の支圧板（座金またはアンカープレートともいう。）４の中心孔４１を介して地表へ突出しており、本発明に係る止水部材６を介して緊締部材５によりに緊締されている。なお、シース管１２の上端部は、本発明に係る止水部材６の中に位置するようにさせている。また、各ＰＣ鋼より線１１の頭部をジャッキ等で緊張させた状態で、アンカーディスク５１と定着くさび５２と、リングナット５３からなる緊締部材５により緊締する。その後、防錆油７が充填される防錆キャップ８により緊締部材５やＰＣ鋼より線１１の頭部を覆うことで、グラウンドアンカー１の頭部の確実な止水を図っている。グラウンドアンカー１の頭部は、受圧板３上に支圧板４を設けられる構造でなくてもよく、直接、地山等２の上に支圧板４が設けられる構造でも良い
【００１６】
なお、アンカーディスク５１は、グラウンドアンカー１を構成する複数本のＰＣ鋼より線１１の頭部を緊張させた状態で定着クサビ５２によって留める（固定する）もので外周面に雄ネジ５１ａが設けられている。
【００１７】
リングナット５３は、アンカーディスク５１を通すようにリング状のもので、その内周面にアンカーディスク５１外周面の雄ネジ５１ａと螺合する雌ネジ５３ａが形成されている。なお、リングナット５３の下面、すなわち支圧板４側には、止水部材６の移動を規定するために後述する鍔部６１が嵌まり込む凹部５３ｂが形成されているが、特段、形成しなくても良い。
【００１８】
止水部材６は、グラウンドアンカー１への雨水等の浸入を防ぐもので、ゴム等の弾性部材で形成されており、図３〜図５に示すように、鍔部６１と、段部６２と、複数（ここでは、ＰＣ鋼より線１１の本数に応じて４つである。）の円筒部６３が一体で設けられている。
【００１９】
鍔部６１は、図２に示すように支圧板４の中心孔４１の孔径より大きい外径を有しており、また図４（ｃ）や図５（ａ）等に示すようにグラウンドアンカー１を構成する複数本のＰＣ鋼より線１１をそれぞれ通すための複数の挿通孔６１１が設けられている。
【００２０】
段部６２は、図３〜図５に示すように鍔部６１の円筒部６３側の表面に設けられるもので、支圧板４の中心孔４１に挿入されるように支圧板４の中心孔４１の内径以下の外径を有しており、その高さは図２に示すように支圧板４の厚さ以下としている。なお、段部６２にも、図５（ａ）に示すように鍔部６１の複数の挿通孔６１１と連通する挿通孔６２１が設けられている。なお、段部６２は、設けなくても良い。
【００２１】
各円筒部６３は、図３〜図５に示すように段部６２上に所定の間隔を空けて立設しており、各円筒部６３には、図５（ａ）等に示すように鍔部６１の複数の挿通孔６１１および段部６２の複数の挿通孔６２１に連通する挿通孔６３１が設けられている。各円筒部６３は、図１や図２に示すようにそれぞれの挿通孔６３１にシース管１２が被せられたＰＣ鋼より線１１が挿入されるため、図５（ａ）に示すように挿通孔６３１における鍔部６１側から各円筒部６３の先端部側に向かってほぼ４／５までの内径は、シース管１２の外径に合わせている。
【００２２】
これに対し、各円筒部６３の挿通孔６３１における先端部から鍔部６１側に向かってほぼ１／５までの内径は、図５（ａ）に示すように当該先端部からＰＣ鋼より線１１が挿入し易いよう先端部に向かうほど徐々に拡がるように拡径テーパー形状に構成されている。そして、その拡径テーパー形状の挿通孔６３１の内周面には、止水効果をより確実に発揮させるために各円筒部６３の中心に向かって突出し、かつ、各円筒部６３の先端部に向かうほど突出量が大になってＰＣ鋼より線１１に密着（弾接）する３つの円環状の環状突起６３ａ〜６３ｃが設けられている。
【００２３】
次に、本発明に係るグラウンドアンカー用止水部材の使用方法について説明する。まず、図６（ａ）に示すように、地山等２および地山等２上に形成された受圧板３を削孔してアンカー孔２１および中心孔３１内に、複数のＰＣ鋼より線１１等からなるグラウンドアンカー１をアンカー孔２１および中心孔３１に挿入し、その後、アンカー孔２１内にグラウト材２２を注入する。
【００２４】
そして、グラウト材２２の硬化後に、図６（ｂ）に示すようにＰＣ鋼より線１１の頭部に支圧板４の中心孔４１を通すと共に、本発明に係る止水部材６の各円筒部６３を通す。次に、図６（ｃ）に示すようにリングナット５３が螺合されたアンカーディスク５１にＰＣ鋼より線１１を通した後、そのＰＣ鋼より線１１を図示しないジャッキ等で緊張させた状態でアンカーディスク５１を緊締し、定着クサビ５２によって留めて（固定させて）作業が完了する。なお、その後、図１や図２に示すように防錆油７が充填される防錆キャップ８により緊締部材５やＰＣ鋼より線１１の頭部を覆う。
【００２５】
ここで、グラウンドアンカー１を構成する各ＰＣ鋼より線１１がアンカー孔２１心に対して傾斜して定着されている場合には、ＰＣ鋼より線１１をジャッキ等で緊張すると、ＰＣ鋼より線１１が支圧板４や緊締部材５に近い箇所を支点として変形する。
【００２６】
すると、各ＰＣ鋼より線１１が通された本発明に係る止水部材６の各円筒部６３は、ＰＣ鋼より線１１の変形に追随して各円筒部６３の付け根部分である段部６２と各円筒部６３の境目を支点として変形するので、上述の特許文献１の止水部材９とは異なり止水部材６とＰＣ鋼より線１１との間に隙間が形成されることなく、確実に止水することができる。
【００２７】
また、本発明に係る止水部材６では、ＰＣ鋼より線１１をジャッキ等で緊張させると支圧板４の上面とアンカーディスク５１およびリングナット５３によって、止水部材６の鍔部６１が圧縮されることから、この点でも確実に止水することができる。
【００２８】
なお、止水部材６の鍔部６１に段部６２を設けていない場合には、ＰＣ鋼より線１１をジャッキ等で緊張して、そのＰＣ鋼より線１１が支圧板４や緊締部材５に近い箇所を支点として変形し、それに伴って、鍔部６１と円筒部６３との境目を支点として円筒部６３が追随するように変形するが、鍔部６１は圧縮された状態であるため、鍔部６１と円筒部６３との境目で切断される虞がある。一方、本実施形態の止水部材６では、鍔部６１に支圧板４の中心孔４１に挿入される段部６２が設けられており、その段部６２の高さは支圧板４の厚さ以下であって、その段部６２から複数の円筒部６３が立設している。この形態にすることで、上述したように、鍔部６１は圧縮変形するが、段部６２は支圧板４と緊締部材５との間には位置しないので圧縮変形はしない。
【００２９】
そのため、ＰＣ鋼より線１１をジャッキ等で緊張して、ＰＣ鋼より線１１が支圧板４や緊締部材５に近い箇所を支点として変形した場合でも、止水部材６の各円筒部６３は、圧縮変形しない段部６２と円筒部６３との境目が支点となってＰＣ鋼より線１１に追随するので、その支点が切断されることを防止できる。
【００３０】
また、止水部材６の各円筒部６３の挿通孔６３１は、先端部に向かうほど拡径する拡径テーパー形状に形成されていると共に、先端部に向かうほど突出量が大になる３つの円環状の環状突起６３ａ〜６３ｃが設けられているため、ＰＣ鋼より線１１が挿入し易いと共に、ＰＣ鋼より線１１に密着（弾接）する環状突起６３ａ〜６３ｃによって止水効果をより確実に発揮することができる。
【００３１】
なお、上記実施形態の説明では、止水部材６は、段部６２を介して鍔部６１に円筒部６３を設けるように説明したが、本発明では、これに限らず、図７（ａ）,（ｂ）に示す止水部材６’のように段部６２を設けずに鍔部６１に円筒部６３を直接設けるようにしても良い。ただし、この場合には、上述したように鍔部６１と円筒部６３との境目を支点として円筒部６３がＰＣ鋼より線１１の変形に追随するようになるため、段部６２を設けた上述の止水部材６よりも円筒部６３の付け根で切断される虞があるものの、止水効果は上述の止水部材６と同様に発揮できる。また、上記実施の形態では、グラウンドアンカー１を構成する各ＰＣ鋼より線１１の本数に合わせて止水部材６に４つの円筒部６３を設けて説明したが、本発明では、これに限らず、グラウンドアンカー１を構成する各ＰＣ鋼より線１１の本数が1本であれば、止水部材６に１つの円筒部６３のみを設けても勿論良い。
【００３２】
また、上記実施形態の説明では、アンカーディスク５１と定着クサビ５２とリングナット５３を備えた緊締部材５により説明したが、本発明では、これに限らず、球面座金とナット等を使用した緊締部材でも使用できる。
【符号の説明】
【００３３】
１  グラウンドアンカー
１１  ＰＣ鋼より線（引張材）
１２  シース管
１３  熱収縮チューブ
１４  スペーサー
１５  先端キャップ
１６  結束バンド
２  地山等
２１  アンカー孔
２２  グラウト材
３  受圧板
３１  中心孔
４  支圧板
４１  中心孔
５  緊締部材
５１  アンカーディスク
５１ａ  雄ネジ
５２  定着クサビ
５３  リングナット
５３ａ  雌ネジ
５３ｂ  凹部５３ｂ
６，６’  グラウンドアンカー用止水部材
６１  鍔部
６１１  挿通孔
６２  段部
６２１  挿通孔
６３  円筒部
６３１  挿通孔
６３ａ〜６３ｃ  環状突起
７  防錆油
８  防錆キャップ
【図１】
2015010354.tif 000003
【図２】
2015010354.tif 000004
【図３】
2015010354.tif 000005
【図４】
2015010354.tif 000006
【図５】
2015010354.tif 000007
【図６】
2015010354.tif 000008
【図７】
2015010354.tif 000009
【図８】
2015010354.tif 000010
【図９】
2015010354.tif 000011